(57)【特許請求の範囲】
【請求項１】
縦方向に延びている積み重ね可能な取っ手部を備える、積み重ね可能な調理用品システムにおいて、
前記取っ手部が、
調理用品への固定された取り付けのために構成された基部側のフランジと、
前記フランジに取り付けられる基部側の端部を有する先端側の把持部であって、前記取っ手部の長さが前記把持部の最小幅の４倍以上である把持部と、
を備え、
前記把持部が、
前記把持部の上面から対向する下面に向かって深さ方向に延び、少なくともその上部を定めている前方部分を有している孔であって、当該孔が、前記把持部の前記上面に沿って積み重ね可能に配置された上の取っ手部の突起を受け入れるように構成され、前記孔を定めている前記前方部分が、当該孔により受け入れられた前記突起の前方部分と係合するようにしている、前記孔と、
前記把持部の前記下面から下向きに延び、前方部分を有している突起であって、当該突起が、前記把持部の前記下面で積み重ね可能に配置された下の取っ手部の孔内に受け入れられるように構成され、前記突起の前記前方部分が、当該突起を受け入れる前記孔を定めている相補的な前方部分と係合するようにしている、前記突起と、
を備えることを特徴とする調理用品システム。
【請求項２】
前記孔の前記前方部分と前記突起の前記前方部分が実質的に平行であることを特徴とする請求項１に記載の調理用品システム。
【請求項３】
底壁から延びている側壁を備えている調理容器をさらに備え、
前記フランジが前記調理容器の前記側壁に取り付けられ、
前記孔の前記前方部分および前記突起の前記前方部分が、前記底壁の平面と70度から45度の間の角度を、それぞれ形成することを特徴とする請求項１に記載の調理用品システム。
【請求項４】
前記把持部の前記基部側の端部の幅が、前記孔で受け取られる前記把持部の幅よりも、少なくとも50％大きいことを特徴とする請求項１に記載の調理用品システム。
【請求項５】
前記突起は前記孔の先端側にあることを特徴とする請求項１に記載の調理用品システム。
【請求項６】
前記把持部が、
前記基部側の端部の基部側で前記下面から延びている第２の突起と、
前記突起と前記第２の突起との間で前記下面に沿って定められ、実質的に同様の把持部の上に積み重ねられたときに、当該実質的に同様の把持部の基部側の端部に係合するように構成された逆さまの谷部と、
をさらに備えることを特徴とする請求項１に記載の調理用品システム。
【請求項７】
前記取っ手部と積み重ねるように構成された第２の取っ手部をさらに備え、
当該第２の取っ手部は、基部側のフランジと、基部側の端部で当該フランジに取り付けられる先端側の把持部とを備え、
前記第２の取っ手部の前記把持部が孔および突起を備え、前記第２の取っ手部の前記把持部が前記取っ手部の前記把持部と実質的に同様であることを特徴とする請求項１に記載の調理用品システム。
【請求項８】
前記第２の取っ手部が前記取っ手部の上に積み重ねられるとき、前記第２の取っ手部の前記突起が、前記取っ手部の上面と下面との間の深さの半分よりも大きい距離で、前記取っ手部の前記孔内に延びていることを特徴とする請求項７に記載の調理用品システム。
【請求項９】
底壁、および前記取っ手部の前記フランジに取り付けられた側壁を有する第１の調理容器と、底壁、および第２の調理容器の前記フランジに取り付けられた側壁を有する前記第２の調理容器と、をさらに備えることを特徴とする請求項７に記載の調理用品システム。
【請求項１０】
それぞれの前記把持部が、
前記基部側の端部の基部側で前記下面から延びている第２の突起と、
前記突起と前記第２の突起との間で前記下面に沿って定められ、実質的に同様の把持部の上に積み重ねられたときに、当該実質的に同様の把持部の基部側の端部に係合するように構成された逆さまの谷部と、
をさらに備え、
前記第２の取っ手部が前記取っ手部の上に積み重ねられたとき、前記第２の取っ手部の前記第２の突起の長さが、前記第１の調理容器の前記側壁と前記第２の調理容器の前記側壁との間の縦方向の間隔を設定することを特徴とする請求項９に記載の調理用品システム。
【請求項１１】
前記第２の取っ手部が前記取っ手部の上に積み重ねられたとき、前記取っ手部の前記把持部が前記第２の取っ手部および前記第２の調理容器を支持し、前記第２の調理容器の前記底壁が前記第１の調理容器の前記底壁に吊設されることを特徴とする請求項９に記載の調理用品システム。
【請求項１２】
前記第２の取っ手部が前記取っ手部の上に積み重ねられたとき、前記第２の調理容器の前記底壁が前記第１の調理容器の前記底壁に、実質的に平行に吊設されることを特徴とする請求項１１に記載の調理用品システム。
【請求項１３】
前記第２の調理容器が前記第１の調理容器よりも小さい直径を有し、積み重ねられたときに、前記第２の調理容器と入れ子になることを特徴とする請求項１２に記載の調理用品システム。
【請求項１４】
前記第２の調理容器が前記第１の調理容器よりも小さい直径を有し、積み重ねられたときに、前記第２の調理容器と入れ子になり、
前記第１の調理容器および前記第２の調理容器がフライパンであることを特徴とする請求項１１に記載の調理用品システム。
【請求項１５】
前記第２の調理容器が前記第１の調理容器よりも小さい直径を有し、積み重ねられたときに、前記第２の調理容器と入れ子になり、
前記第１の調理容器が概して長方形状のポットであり、前記第２の調理容器が円形の底壁を有していることを特徴とする請求項１１に記載の調理用品システム。
【請求項１６】
前記第１の調理容器および前記第２の調理容器のそれぞれの周縁部に適合するように構成された蓋を、さらに備えることを特徴とする請求項１１に記載の調理用品システム。
【請求項１７】
前記取っ手部または前記第２の取っ手部に、相互に交換可能に積み重ねるように構成された第３の取っ手部をさらに備え、
前記第３の取っ手部は、基部側のフランジと、基部側の端部で当該フランジに取り付けられる先端側の把持部とを備え、
前記第３の取っ手部の前記把持部が突起を備え、
前記突起は、前記取っ手部の前記突起や前記第２の取っ手部の前記突起と実質的に同様であり、
前記第３の取っ手部の前記フランジが調理器具の作業用端部に取り付けられることを特徴とする請求項１１に記載の調理用品システム。
【請求項１８】
それぞれの調理用品の間隔を介した積み重ねのために構成された２つ以上の調理用品のセットにおいて、
前記調理用品のそれぞれが、縦方向に延びている積み重ね可能な取っ手部を備え、
前記取っ手部が、
調理器具容器や調理器具に取り付けられる基部側のフランジと、
前記フランジに取り付けられる基部側の端部を有する先端側の把持部であって、前記取っ手部の長さが前記把持部の最小幅の４倍以上である把持部と、
を備え、
前記把持部が、
前記把持部の上面から対向する下面に向かって深さ方向に延び、少なくともその上部を定めている前方部分を有している孔であって、当該孔が、前記把持部の前記上面に沿って積み重ね可能に配置された上の取っ手部の突起を受け入れるように構成され、前記孔を定めている前記前方部分が、当該孔により受け入れられた前記突起の前方部分と係合するようにしている、前記孔と、
前記把持部の前記下面から下向きに延び、前方部分を有している突起であって、当該突起が、前記把持部の前記下面で積み重ね可能に配置された下の取っ手部の孔内に受け入れられるように構成され、前記突起の前記前方部分が、当該突起を受け入れる前記孔を定めている相補的な前方部分と係合するようにしている、前記突起と、
を備えることを特徴とする、２つ以上の調理用品のセット。
【請求項１９】
前記調理用品が、第１の直径を有する第１の調理容器と、前記第１の調理容器との入れ子状の積み重ねのために構成される、前記第１の直径よりも小さい第２の直径を備えている第２の調理容器と、を備えることを特徴とする請求項１８に記載の２つ以上の調理用品のセット。
【請求項２０】
前記第１の調理容器および前記第２の調理容器がフライパンであることを特徴とする請求項１９に記載の２つ以上の調理用品のセット。
【請求項２１】
前記第１の調理容器が概して長方形状のポットであり、前記第２の調理容器が円形の底壁を有していることを特徴とする請求項１９に記載の調理用品システム。
【請求項２２】
前記２つ以上の調理用品のセットにおける調理容器のそれぞれの周縁部に適合するように構成された蓋を、さらに備えることを特徴とする請求項１９に記載の２つ以上の調理用品のセット。
【発明の詳細な説明】
【技術分野】
【０００１】
本出願は、米国特許法第１１９条（ｅ）の下で、２０１７年３月２１日に出願された米国仮特許出願第６２／４７４，３２８号の出願日の利益を主張するものであり、当該米国仮特許出願の内容は、それらの全体が参照により本明細書に組み込まれる。
【０００２】
本開示は、例えば調理器具容器や調理器具容器セットなどの調理用品に関し、より具体的には、本開示は、調理器具容器および調理器具容器セットを含んでいる、積み重ね可能な調理用品に関する。
【背景技術】
【０００３】
消費者は通常、異なる寸法の物品を含んでいる調理用品をセットで購入し、このような理由により、大抵は複数の調理容器を有している。しかしながら、様々な寸法を有する複数の調理用品を保管することが、煩わしく不都合である虞がある。
【発明の概要】
【発明が解決しようとする課題】
【０００４】
調理容器を保管する従来の方法では、より少ないスペースしか必要としないとして、スープ鍋の入れ子式の保管を含んでいる。これらの方法において、これらのスープ鍋の取っ手部を取り外し可能にすると、積み重ねをより容易にする。しかしながら、このような取り外し可能な取っ手部は容易に紛失または損傷し、当該取っ手部が調理用の複数のバーナーや熱源の使用を複雑にする虞がある。
【０００５】
組織化されたレストラン用の調理場では、これらの取っ手部が適切に加工されている場合、同様のサイズの短いフライパンを頻繁に積み重ねている。しかしながら、このような積み重ねられたフライパンは、この積み重ねが多くなるにつれて、容器周縁部の水平面の垂直な傾斜に向かって次第に湾曲する傾向があり、この積み重ねを本質的に不安定にしている。
【課題を解決するための手段】
【０００６】
本開示では、複数の調理用品を積み重ねるように構成された調理用品システム、およびそれらの調理用品の取っ手部を記載している。これらの調理用品では、積み重ね可能な取っ手部を配置する調理容器、調理用品、または調理容器と調理用品の両方を含んでいる様々な寸法の物品が含まれてもよい。積み重ねには、複数の調理用品の入れ子が含まれてもよい。これらの積み重ねや入れ子が、積み重ねられた容器に沿って大部分が非接触であってもよく、例えば、保管中に表面的な欠損が生じることを避けるように構成された、積み重ね可能な取っ手部により提供される。
【０００７】
一態様において積み重ね可能な調理用品システムが、縦方向に延びている積み重ね可能な取っ手部を含んでいる。この取っ手部は、調理用品への固定された取り付けのために構成された基部側のフランジを含んでもよい。また、この取っ手部は、当該フランジに取り付けられる基部側の端部を有する先端側の把持部を含んでもよい。この把持部は、縦軸と横軸との間で少なくとも４：１の縦横比を有してもよい。この把持部が孔と突起を含んでもよい。この孔が把持部の上面から対向する下面に向かって深さ方向に延びてもよく、かつ、この孔が、少なくともその上部を定めている前方部分を有してもよい。この孔が、把持部の上面に沿って積み重ね可能に配置された上の取っ手部の突起を受け入れるように構成されてもよく、この孔を定めている前方部分が、当該孔により受け入れられた突起の前方部分と係合するようにしている。この突起が把持部の下面から下向きに延びてもよく、かつ、この突起が前方部分を有してもよい。この突起が、把持部の下面で積み重ね可能に配置された下の取っ手部の孔内に受け入れられるように構成されてもよく、この突起の前方部分が、当該突起を受け入れる孔を定めている相補的な前方部分と係合するようにしている。
【０００８】
様々な実施形態において、孔の前方部分と突起の前方部分が実質的に平行であってもよい。また一実施形態において、この調理用品システムも底壁から延びている側壁を備えた調理容器を含んでいてもよい。上述のフランジが当該調理容器の側壁に取り付けられてもよく、孔の前方部分および突起の前方部分が、底壁の面と70度から45度の間の角度を、それぞれ形成している。一実施形態において把持部の基部側の端部の幅が、孔で受け止められる把持部の幅よりも、少なくとも50％大きくてもよい。突起が孔の先端側に配置されてもよい。一実施形態において把持部が、下面から第１の突起の基部側に延びている第２の突起をさらに含んでいる。第１の突起と第２の突起との間で下面に沿って逆さまの谷部を定めてもよく、当該逆さまの谷部は、把持部の上に積み重ねられたときに、実質的に同様の把持部の基部側の端部に係合するように構成されている。
【０００９】
また、いくつかの実施形態において、この調理用品システムも、第１の取っ手部と積み重ねるように構成された第２の取っ手部を含んでいてもよい。この第２の取っ手部は、基部側のフランジと、基部側の端部で当該フランジに取り付けられる先端側の把持部とを含んでもよい。第２の取っ手部の把持部が孔と突起を含んでもよく、かつ、第２の取っ手部の把持部が第１の取っ手部の把持部と実質的に同様であってもよい。第２の取っ手部が第１の取っ手部の上に積み重ねられてもよく、第２の取っ手部の突起が、第１の取っ手部の上面と下面との間の深さの半分よりも大きい距離で、第１の取っ手部の孔内に延びていてもよい。また、この調理用品システムが、底壁、および第１の取っ手部のフランジに取り付けられた側壁を有する第１の調理容器と、底壁、および第２の調理容器のフランジに取り付けられた側壁を有する第２の調理容器と、を含んでもよい。一実施形態において、それぞれの把持部が、下面から第１の突起の基部側に延びている第２の突起を含んでいる。第１の突起と第２の突起の間の下面に沿って逆さまの谷部を定めてもよく、当該逆さまの谷部は、把持部の上に積み重ねられたときに、実質的に同様の把持部の基部側の端部に係合する寸法にされてもよい。一実施形態において、この調理用品システムが、第１の容器および第２の容器のそれぞれの周縁部に適合するように構成された蓋をさらに含んでいる。
【００１０】
第２の取っ手部が第１の取っ手部の上に積み重ねられてもよい。一実施例において、第２の取っ手部の第２の突起の長さが、第１の調理容器の側壁と第２の調理容器の側壁との間の縦方向の間隔を設定してもよい。他の実施例において、第１の取っ手部の把持部が第２の取っ手部および第２の調理容器を支持してもよく、第２の調理容器の底壁が第１の調理容器の底壁に吊設されてもよい。他の実施形態において、第２の調理容器の底壁が第１の調理容器の底壁に、実質的に平行に吊設されてもよい。特定の実施形態において、第２の調理容器が第１の容器よりも小さい直径を有し、積み重ねられたときに、第２の調理容器と入れ子になるようにしている。一実施例において、第１の調理容器および第２の調理容器がフライパンである。他の実施例において、第１の調理容器が概して長方形状のポットであり、第２の調理容器が円形の底壁を有している。
【００１１】
また、この調理用品システムが、第１の取っ手部または第２の取っ手部に、相互に交換可能に積み重ねるように構成された第３の取っ手部を含んでもよい。この第３の取っ手部は、基部側のフランジと、基部側の端部で当該フランジに取り付けられる先端側の把持部とを含んでもよい。第３の取っ手部の把持部が、第１の取っ手部の突起や第２の取っ手部の突起と実質的に同様の突起を含んでもよい。一実施例において、第３の取っ手部のフランジが調理器具の作業用端部に取り付けられてもよい。
【００１２】
他の態様において、２つ以上の調理用品のセットが、それぞれの調理用品の間隔を介した積み重ねのために構成されてもよい。それぞれの調理用品が、調理器具容器や調理器具に取り付けられる基部側のフランジを含んでいる、縦方向に延びる積み重ね可能な取っ手部を含んでもよい。また、この取っ手部が、フランジに取り付けられる基部側の端部を有する先端側の把持部を含んでもよい。この把持部は、縦軸と横軸との間で少なくとも４：１の縦横比を有してもよい。この把持部が孔と突起を含んでもよい。この孔が把持部の上面から、対向する下面に向かって深さを延ばしてもよく、かつ、この孔が、少なくともその上部を定めている前方部分を有してもよい。この孔が、把持部の上面に沿って積み重ね可能に配置された上の取っ手部の突起を受け入れるように構成されてもよく、この孔を定めている前方部分が、当該孔により受け入れられた突起の前方部分と係合するようにしている。この突起が把持部の下面から下向きに延びてもよく、かつ、この突起が前方部分を有してもよい。この突起が、把持部の下面で積み重ね可能に配置された下の取っ手部の孔内に受け入れられるように構成されてもよく、この突起の前方部分が、当該突起を受け入れる孔を定めている相補的な前方部分と係合するようにしている。
【００１３】
様々な実施形態において、調理用品が、第１の直径を有する第１の調理容器と、第１の調理容器との入れ子状の積み重ねのために構成される、第１の直径よりも小さい第２の直径を備えている第２の容器と、を備える。一実施例において、第１の容器および第２の容器がフライパンである。他の実施例において、第１の容器が概して長方形状のポットであり、第２の容器が円形の底壁を有している。一実施形態において、このセットが、当該セットにおけるそれぞれの調理容器の周縁部に適合するように構成された蓋を含んでいる。本願発明の上記および他の、目的、効果、特徴および利点は、添付の図面と併用された以下の実施形態の説明からより明らかになるであろう。
【図面の簡単な説明】
【００１４】
【図１Ａ】本明細書に記載された様々な実施形態による、調理用品用の積み重ね可能な取っ手部の実施形態を示す上面図である。
【図１Ｂ】同上、側面図である。
【図１Ｃ】同上、底面図である。
【図１Ｄ】図１Ｂの切断線Ｄ−Ｄに沿った断面図である。
【図１Ｅ】図１Ｂの切断線Ｅ−Ｅに沿った断面図である。
【図２Ａ】図２Ｂに示されるように積み重ねられたいくつかのフライパンの、断面線Ａ−Ａに沿った断面図である。
【図２Ｂ】図１Ａ〜図１Ｅに示された積み重ね可能な取っ手部の実施形態を備えている積み重ねられた調理用品を示す背面図である。
【図２Ｃ】本明細書に記載の様々な実施形態による寸法の特徴を示している、図２Ａに示されたフライパンの中の１つを示す横断立面の分離図である。
【図３Ａ】図２Ｂに示される、支持された調理用品の追加の図を提供する側面図である。
【図３Ｂ】同上、支持された調理用品の図２Ｂの断面線Ａ−Ａに対応する垂直断面図である。
【図４Ａ】本明細書に記載された様々な実施形態による積み重ね可能な取っ手部の他の実施形態において、いくつかのフライパンを積み重ねるための取っ手部を示す垂直断面図である。
【図４Ｂ】同上、寸法の特徴、および取っ手部の中の１つに取り付けられたフライパンを示す垂直断面図である。
【図５Ａ】本明細書に記載された様々な実施形態による積み重ね可能な取っ手部の他の実施形態において、取っ手部を配置するように積み重ねられたいくつかのフライパンを示す垂直断面図である。
【図５Ｂ】同上、拡大図である。
【図５Ｃ】同上、寸法の特徴を示す垂直断面図である。
【図６Ａ】本明細書に記載された様々な実施形態による、異なる寸法を有し、図４Ａおよび図４Ｂに示される積み重ね可能な取っ手部を配置している、いくつか積み重ねられた調理用品において、図６Ｂの断面線Ａ−Ａに沿った、いくつか積み重ねられた調理容器を示す垂直断面図である。
【図６Ｂ】同上、いくつか積み重ねられた調理容器を示す上面図である。
【図７】本明細書に記載された様々な実施形態による、上記の図のいずれかに示すようにセットで積み重ねることができるいくつかの調理容器の周縁部の位置と比較した、図６Ａに示された蓋の一部の断面図である。
【図８Ａ】本明細書に記載された様々な実施形態による、異なる寸法を有し、図４Ａおよび図４Ｂに示される積み重ね可能な取っ手部を配置している、いくつか積み重ねられた調理用品において、一番上の調理容器の取っ手部に配置された積み重ねられた調理容器および調理器具のセットを示す斜視図である。
【図８Ｂ】図８Ａの断面線Ｂ−Ｂに沿った垂直断面図である。
【図９】本明細書に記載された様々な実施形態による、積み重ね可能な取っ手部の実施形態を備えている積み重ねられた調理用品を示す断面図である。
【発明を実施するための形態】
【００１５】
本開示は、例えば、積み重ね用に構成された調理容器や調理器具、これらのセットなどの、調理用品を含んでいる積み重ね可能な調理器具システムについて記載している。この調理器具システムは、例えば直径、高さ、または長さなどの異なる寸法を有している調理用品を安定して支持するように構成されてもよい。
【００１６】
様々な実施形態において積み重ね可能な調理器具システムが、積み重ね可能な調理器具の取っ手部を含んでおり、当該取っ手部は、異なる寸法を有する多種多様な調理用品に配置されて、これらの調理用品を安定して積み重ねることができるようにしてもよく、当該調理用品が、いくつかの実施形態において、入れ子状の配置で積み重ねることを含んでもよい。したがって調理用品が積み重ね可能な取っ手部を配置し、これらの調理用品の多様な寸法にもかかわらず、安定した積み重ねを提供している。現在の積み重ね可能な調理器具とは異なり、本明細書に開示される、積み重ねている調理器具システムが、積み重ねられた調理用品の間に安定して確保された間隔を含んでもよく、繊細な仕上げを損なわないようにしている。この積み上げることが自己安定式であってもよく、積み上げられた物品が、積み上げ補助なしで積み上げられるようにしてもよい。例えば、積み上げにおける下方の物品が、当該下方の物品の上に積み上げられた物品の重量を支持してもよい。
【００１７】
様々な図において同様の参照番号が同様の構成要素に言及している図１Ａ〜図８Ｂを参照すると、積み重ね可能な調理器具システム２０が調理器具の取っ手部２００を含んでもよく、この取っ手部２００は、当該取っ手部２００を配置している調理用品５０を、整列し積み重ねて係合するために構成される。例えば調理器具システム２０が、調理器具容器１００，１００'，１００''にそれぞれ取り付けられた複数の取っ手部２００，２００'，２００''を含んでもよい。
【００１８】
簡略して表現するため、アクセントの付いていない参照番号により提供される単独の調理用品５０、単独の容器１００または単独の取っ手部２００に関して、図面を参照し、本明細書における調理器具システム２０の様々な特徴が記載されてもよい。このような記載は、これらの図面に示された、対応するアクセント付き参照番号により識別される構成要素に適用可能であってよいことが理解されよう。なお様々な図面において、調理用品５０は通常、調理器具容器１００として示される一方で、調理用品５０が、例えば取っ手部２００を配置可能な、（図８Ａおよび図８Ｂに示されるような）器具８０１などの、他の調理器具の物品を含んでもよい。例えば様々な実施形態において、この取っ手部２００は、サイズが次第に増加または減少する複数の調理器具容器１００に配置されてもよく、整列された入れ子状の積み重ねの係合を提供している。また他の実施例において、例えば調理器具容器１００などの、他の調理器具８０１や他の調理用品５０と共に使用される調理器具８０１と共に取っ手部２００が配置されてもよく、（例えば、図８Ａおよび図８Ｂに示されるように）当該調理器具８０１が能動的に使用されていないときに、この調理器具８０１の取っ手部２００を、調理用品５０の他の取っ手部２００''上に積み重ねている、または置いている。このことにより、調理容器１００内の食品を扱うための調理に調理器具８０１が使用されてていないとき、カウンターのスペースを消費する別個のプレートや調理器具ホルダを必要とすることを避けている。また、調理器具８０１が移動すること、もしくは調理器具８０１が、調理台や隣接するコンロまたはオーブンの表面を汚すことも防止している。いくつかの実施形態において、調理器具８０１を積み重ねること、または置くことにより、当該調理器具８０１が、実質的に同様の積み重ね可能な嵌合部を配置している他の積み重ねられた調理用品５０と入れ子になることをもたらしてもよい。
【００１９】
取っ手部２００は通常、雄嵌合部２０３または雌嵌合部２０４の一方または両方を含んでいる。例えば、特に図２Ａで表現されるように、取っ手部２００'が、第２の取っ手部２００の雌嵌合部２０４との積み重ね可能な接続用の雄嵌合部２０３'と、第３の取っ手部２００''の雄嵌合部２０３''との積み重ね可能な接続用の雌嵌合部２０４'と、を含んでもよい。このような配置において、雄嵌合部および雌嵌合部２０３'、２０４および２０３'’、２０４'が係合面に沿って係合し、積み重ねられた調理用品５０'、５０''の重量を協働して支持してもよく、当該積み重ねられた調理用品５０'、５０''が、複数の積み重ねられた調理用品５０、５０'、５０''を含んでもよい。雄嵌合部および雌嵌合部２０３、２０４が、（例えば図２Ａに示されるように）後方位置に位置していてもよく、（例えば図５Ａに示すように）前方位置に位置していてもよく、あるいは取っ手部２００に沿った他の位置に位置していてもよい。
【００２０】
図１Ａ〜図１Ｅを具体的に参照すると、相補的な嵌合部を有する他の取っ手部との積み重ね可能な調理器具用に構成された少なくとも１つの嵌合部２０３、２０４を有する、縦方向に延びている積み重ね可能な取っ手部２００を、積み重ね可能な調理用品システム２０が含んでもよい。この取っ手部２００が、フランジ２１０および把持部２２０を含んでもよい。このフランジ２１０が基部側の端部２１０ａから先端側の端部２１０ｂまで延びていてもよい。同様に、把持部２２０が基部側の端部２２０ａから先端側の端部２２０ｂまで延びていてもよい。フランジ２１０が、その先端側の端部２１０ｂで、把持部２２０の基部側の端部２２０ａに取り付けられてもよい。
【００２１】
図２Ｃをさらに参照すると、調理器具システム２０が、取っ手部２００を配置する調理器具容器１００を備えている調理用品５０を含んでもよい。調理器具容器１００は、直立して取り囲んでいる側壁１２０の付いた底部１１０を含んでもよく、当該側壁１２０は、周縁部１３０で上部の範囲に沿って終了している。取っ手部２００が、例えばリベット１４０などにより、フランジ２１０の基部側の端部２１０ａに沿って側壁１２０に連結されてもよい。フランジ２１０は、リベットで側壁１２０に取り付けられることが好ましい一方で、このフランジ２１０が、溶接継手や、ねじ付きのナットおよびボルトなどで取り付けられてもよい。また好ましくは金属であるフランジ２１０は、取っ手部２００の基部側の端部２２０ａとの共通の接合部で、より狭い断面部を有している。フランジ２１０および把持部２２０が、同一または類似の材料を備えてもよく、または単一構造を備えてもよく、このフランジ２１０が、例えば調理容器または調理器具などの、調理製品との接続結合部を含んでいることが理解されよう。
【００２２】
また把持部２２０が、雄嵌合部２０３または雌嵌合部２０４の少なくとも一方を含んでもよく、当該雄嵌合部２０３または雌嵌合部２０４は、積み重ね可能な嵌合部用に構成された、他の把持部２２０の相補的な雄嵌合部または雌嵌合部と接続されるように構成されている。例えば把持部２２０が、孔２２５を備えている雌嵌合部２０４を含んでもよい。しかし一方で、孔２２５が取っ手部２００を有益に吊設するように機能してもよい。例えば図２Ａに示されるように、孔２２５が、積み重ね用の他の取っ手部２２０'を受け入れ、その取っ手部２２０'に係合するために使用されてもよい。孔２２５は、前方部分２２６を含んでいる把持部２２０の取り囲み部分により定められる。この前方部分２２６が調理容器の底面１１０に対して傾斜角α１で配置され、図２Ｃにおいて、当該底面１１０が基準線Ｉとして示され、平行な基準線Ｉ''によりさらに示されている。図２Ａに示されるように、前方部分２２６は、例えば取っ手部２００'の雄嵌合部２０３'などの、他の取っ手部の雄嵌合部と係合するように構成された後部の係合面を形成している。いくつかの実施形態において、例えば図１Ａ〜図３Ｂに示される実施形態に示されるように、孔２２５が把持部２２０の基部側の端部２２０ｂに沿って、把持部２２０の高さ全体まで延びてもよく、または垂直方向に延びてもよい。しかしながら他の実施形態において、孔２２５が上部の取り囲み部分のみにより定められて、例えば把持部２２０の上側面２０２から少なくとも略５０％以上など、上側面２０２から把持部２２０を通って部分的にのみ延びてもよい。
【００２３】
雄嵌合部２０３は、他の取っ手部の相補的な雌嵌合部により受け入れられるように構成された突起２３０を備えている。この突起２３０は通常、把持部２２０の下側面２０１から下方に延びてもよい。また通常は、突起２３０が孔２２５の先端側の位置で把持部２２０から延びてもよい。しかしながら、いくつかの実施形態において、孔２２５の先端側で把持部２３０の下部に沿った位置から延びることに加えて、または当該位置から延びることの代わりに、突起２３０が孔２２５の基部側の位置で把持部２２０から延びてもよく、または当該孔２２５の側面から延びてもよい。
【００２４】
また突起２３０は、積み重ね可能な嵌合用の雌嵌合部２０４の対応する係合面と協働して係合するように構成された、後部の係合面を含んでいる。前方部分２２６、２３６の係合面が概して平坦であってもよいことが好ましい。しかしながら、いくつかの実施形態では、起伏のある表面を含んでいてもよい。図示された実施形態において、突起２３０は、積み重ね用の他の取っ手部の相補的な孔と係合するように構成された後部の係合面を形成する、前方部分２３６を含んでいる。例えば図２Ａを具体的に参照すると、把持部２２０'の下側面２０１'が把持部２２０の上側面２０２に沿って配置されるときに、孔２２５の少なくとも上部の取り囲み部分に沿って、前方部分２２６で取っ手部２００の孔２２５と係合するように構成された前方部分２３６'を有している突起２３０'を、取っ手部２００'の把持部２２０'が含んでいる。また取っ手部２００''の突起２３０''も、孔２２５'で受けられるように構成されている。積み重ねられるときに、把持部２２０、２２０'、２００''が、前方部分２２６、２２６'および前方部分２３６'、２３６''の相補的な係合面に沿って係合してもよい。同様に、前方部分２２６''および２３６の係合面が、積み重ね用の追加の取っ手部の相補的な係合面と係合してもよい。
【００２５】
図２Ｃにおいて、前方部分２３６が容器の底面１１０に対して傾斜角α２で配置され、当該容器の底面１１０が基準線Ｉとして示され、平行な基準線Ｉ'''によりさらに示されている。図示された実施形態において、前方部分２２６と前方部分２３６は実質的に平行であり、例えば±5度である。角度α１および角度α２は実質的に同様の角度であってもよく、例えば±5度であってもよい。このことは、容器１００の底面１１０に対するフランジ２１０の角度θが同一または類似である実施形態、例えば、同様に加工されて積み重ねられた調理用品５０、５０'、５０''の間で、または当該調理用品５０、５０'、５０''のなかで、±5度である実施形態において特に有益であってもよい。他の実施形態において、フランジ２１０の角度θや角度α１およびα２が、積み重ねられた調理用品５０、５０'、５０''の間で、または積み重ねられた調理用品５０、５０'、５０''のなかで、異なっていてもよく、例えば、積み重ねられた調理用品や取っ手部の円弧形状における形状、寸法、または望ましい使用の向きの違いに対処している。
【００２６】
把持部２２０は通常、周縁部１３０に対して上方に、横方向および垂直方向に延びており、フランジ−周縁部の接合部で、周縁部１３０に接する線に直交して配置される。把持部２２０は通常、少なくとも略４：１の縦横比を有してもよく、例えば略４：１の±10％の縦横比を有してもよい。換言すれば、いくつかの実施形態において、取っ手部の長さが、把持部２２０の最小幅の少なくとも４倍であってもよく、あるいは、孔２２５に沿った把持部２２０の幅または孔２４５のまさに先端側の把持部２２０の幅の少なくとも４倍であってもよい（例えば、図５Ａ〜図５Ｃを参照）。例えば把持部２２０の長さが、把持部２２０の最小幅の、あるいは孔２２５に沿った把持部２２０の幅または孔２４５のまさに先端側の把持部２２０の幅の、略６倍、略８倍、略１２倍、またはそれ以上、より大きくてもよい。いくつかの実施形態において把持部２２０が、当該把持部２２０の最大幅に対して少なくとも２：１の縦横比を有してもよく、例えば４：１未満の縦横比を含んでもよく、略２：１から略８：１の間の縦横比、略３：１から略６：１の間の縦横比、または略３．５：１から略４．５：１の間の縦横比などを有してもよい。例えば、把持部２２０の長さが把持部２２０の最大幅の略２倍より大きくてもよく、例えば、把持部２２０の最大幅の４倍未満の長さを含んでもよく、略２倍から略８倍の間の長さ、略３倍から略６倍の間の長さ、または略３．５倍から略４．５倍の間の長さであってもよい。
【００２７】
図示された実施形態において、取っ手部２００、２００'、２００''は実質的に同様であり、関連する容器１００、１００'、１００''が非常に互換性のあるときに、お互い交換可能に積み重ねるように構成される。例えば、容器１００、１００'、１００''が、より大きなベースの容器１００または１００'から、より小さな上の容器１００'または１００''に入れ子にするように構成されており、そうでなければ孔２２５'や孔２２５''により、突起２３０が同様に受け入れられてもよい。このような方法により、実質的に同様の取っ手部２００、２００'、２００''、把持部２２０、２２０'、２２０''、相補的な雄嵌合部および雌嵌合部２０３、２０４を配置している容器１００、１００'、１００''を、底部１１０、１１０'、１１０''がお互いに間隔を介し、かつ、概して平行な状態で、安定して積み重ねることができる。また積み重ねることにより、他の積み重ねられた調理器具の容器１００、１００'、１００''が縦方向に間隔を介することができる。さらなる実施形態において、突起２３０が、例えば孔２２５、２２５'、２２５''と実質的に同様の孔など、相補的な孔により受け入れられてもよく、したがって他の取っ手部の相補的な雌嵌合部により受け入れられてもよい。このような積み重ねは、相補的な雌嵌合部を備えている取っ手部が、取っ手部２００や関連する容器１００との積み重ね用の、大型の容器または他の互換性のある寸法の物品と共に配置されるときに、入れ子にすることを含んでもよい。図１Ａ〜図８Ｂに示される実施形態において、上述のように、突起２３０は通常、把持部２２０の下側面２０１から下向きに延びている。しかしながら他の実施形態（図示せず）において、突起２３０が、把持部の上側面２０２から概して上方に延び、同様に、その把持部に沿って上の取っ手部の相補的な孔に係合してもよく、同様に、当該上の取っ手部が上方に延びている突起を含み、他の上の取っ手部とさらに接続されてもよい。
【００２８】
別段の指示がない限り、「実質的に同様である」ということは、その機能またはそのサブ機能（sub-feature）に関して記載された対応する機能性を否定することなく、実質的に同様の寸法（±5％）であることを意味している。例えば、「他の取っ手部２００、２００''を積み重ね可能に接続されるように構成された孔２２５'および突起２３０'を有する」と記載された他の把持部２２０'に実質的に類似する把持部は、把持部２２０'の孔および突起の寸法に対応している、±5％以内の寸法を有している孔および突起を含み、当該孔および突起が、相補的な突起２３０''および孔２２５を有している把持部２００、２００'を積み重ね可能に接続するように構成されるだろう。
【００２９】
図２Ａ〜図３Ｂを具体的に参照すると、外側に延びている取っ手部２００が、吊設部か、または把持部２２０における他の孔２２５か、を備えている雌嵌合部２０４を含んでもよく、当該雌嵌合部２０４は、例えば雄嵌合部２０３'について下方に延びる突起２３０'など、他の取っ手部の相補的な雄嵌合部を積み重ね可能に受け入れるように構成されている、ということが理解されよう。また例えば、突起２３０'が孔２２５の少なくとも上部内側の取り囲み部分に受け入れられてもよいなど、他の取っ手部の相補的な雌嵌合部により積み重ね可能に受容されるように構成された突起２３０を備えている雄嵌合部２０３を、取っ手部２００が含んでもよく、前方部分２２６が突起２３０'の相補的な前方部分２３６'と係合している。したがって２つ以上の調理用品５０、５０'、５０''のセットが、実質的に同様の取っ手部２００、２００'、２００''、把持部２２０、２２０'、２２０''、もしくは、当該取っ手部２００、２００'、２００''の調理器具用に構成された、実質的に同様の、または互換性のある嵌合部２０３、２０３'、２０３''、２０４、２０４'、２０４''を配置してもよい。例えば取っ手部２００''の突起２３０''が、取っ手部２００'の孔２２５'の、少なくとも上部内側の取り囲み部分に同様に受け入れられてもよく、前方部分２２６'が突起２３０''の相補的な前方部分２３６''と係合している。その結果、取っ手部２００、２００'、２００''が、外側を取り囲んでいる容器１００、１００'の内面部分（例えば壁内面１２０ｂ、１２０ｂ'や底部内面１１０ｂ、１１０ｂ'など）に接触している、内側に入れ子にされた容器１００'、１００''の外面部分（例えば壁外面１２０ａ'、１２０ａ''や底部外面１１０ａ'、１１０ａ''など）を使用せずに、容器１００、１００'、１００''を安定して入れ子にすることができる。
【００３０】
上述されるように突起２３０'、２３０''および相補的な孔２２５、２２５'が、前方部分２３６'、２３６''および２２６、２２６'の後方の係合面に沿って係合するように構成され、積み重ねられた調理用品５０'、５０''の重量を、少なくとも部分的に、協働して支持している。また取っ手部２００が、他の取っ手部の係合面と係合するように構成された１つ以上の前方の係合面を含んでもよく、積み重ねられた調理用品の重量を、少なくとも部分的に、協働して支持している。図示された実施形態において、把持部２２０が、前方部分２５１および前方部分２５０を備えている前方の係合面を含んでおり、当該前方部分２５１および前方部分２５０のそれぞれが、他の取っ手部の相補的な係合面と係合するように構成される。例えば図３を参照すると、当該図３Ｂが積み重ねにおける上の容器１１０''の重心（ＣＯＧ）の横方向位置を示しており、下向きの矢印ＣＯＧ''により示されている。取っ手部２００'によりＣＯＧの右側で容器１１０''の支持をすることにより、フライパンにおいて、ベクトルＧで示された正味の重力トルクを生じさせ、取っ手部２００'と２００''とを係合することにより当該重力トルクを耐える必要がある。前方部分２２６'および２３６''の後方の相補的な係合面に沿った孔２２５'における突起２３０''の先端側の係合と、前方の相補的な係合面２５１'および２５０''の基部側の係合と、が協働してこの重力トルクに耐えている。前方部分２５１'と前方部分２５０'との間の取っ手部２００'の、図２Ｂに幅Ｗとして示される先端の拡大に起因する、より大きな接触領域によりこの重力トルクをさらに耐えている。
【００３１】
容器１００の側壁１２０と把持部２２０との間に延びている、取っ手部２００または取っ手部２００のフランジ２１０は、容器１００の底部１１０の基準面Ｉに対して任意の角度θで配置されてもよい。しかしながらフランジ２１０および把持部２２０は、通常、角度α１および角度α２が略７０度から略４５度の間であるように成型されるのが好ましく、例えば、この容器１００の底部１１０（または容器１００の操作の向きに関する水平基準面）に対して略６５度から略５０度の間であり、略６５度から略５５度の間が好ましく、略６５度から略６０度の間がより好ましい。例として、例えば容器１００の底部１１０（または水平基準面）に対して略６５度から略５０度の間であり、略６５度から略５５度の間が好ましく、略６５度から略６０度の間がより好ましい、通常、略７０度から略４５度の間である角度α１および角度α２を有している調理用品５０、５０'の積み重ねに関し、上述したように係合されたとき、上の容器１００'を反時計回りに回転させるように作用する重力トルクに、前方部分２２６、２３６'の係合面の接触面が耐えることができる。言い方を変えれば、フランジ２１０および把持部２２０は、前方部分２２６、２３６が略２０度から略４５度の間の角度で位置付けられるように成型されるのが好ましく、例えば、容器１００の操作の向きに関する垂直基準面から略２５度から略４０度の間であり、略２５度から略４５度の間が好ましく、略２５度から略３０度の間がより好ましい。
【００３２】
また把持部２２０が、積み重ねにおける複数の容器１００の安定した接続係合を容易にするように成形されてもよいことも理解されよう。上述されるように、先端側の端部２２０ｂ、例えば先端側の端部２２０ｂの前方部分２２６、２３６の後方の係合面など、に対して把持部２２０の基部側の端部２２０ａが拡大することにより、横方向の安定性を高めて、揺動を制限することができる。突起２３０は、相補的な孔の高さの半分以上を、その孔の前方部分に沿って下降するように寸法決めされてもよい。把持部２２０が、フランジ２１０に隣接する基部側の端部２２０ａにおいて、孔２２５における把持部２２０の幅よりも少なくとも50％大きい幅まで拡大するように構成されてもよい。いくつかの実施形態において、把持部２２０が、フランジ２１０に隣接する基部側の端部２２０ａにおいて、突起２３０や前方部分２３６の幅よりも少なくとも50％大きい幅まで拡大するように構成されてもよい。前方の係合面２５０、２５１と孔２２５との間の、上面２０２および下面２０１の形状が相補的な形状を有していてもよく、複数の容器１００、１００'、１００''の積み重ねられた配置をさらに安定させている。
【００３３】
また把持部２２０が、フランジ２１０との接合部に隣接する、基部側で下向きの第２の突起２２１を含んでもよい。第１の突起および第２の突起２３０、２２１は共に、把持部２２０の長さ（図１Ｂにおいて長さ「ｌ」で示される）に沿って逆さまの谷部２２２を定めている。基部側で下向きの第２の突起２２１が長さ（図１Ａにおいて長さ「ｌ’」で示される）を有してもよく、当該長さが、（例えば図２Ａに示されるように）同一の長さのフランジ２１０、２１０'、２１０''を有する積み重ねられた容器１００と１００'と１００''との間の縦方向の間隔を設定している。
【００３４】
様々な実施形態において取っ手部２００が、前方の係合面と後方の係合面との間で、様々な輪郭を用いてもよい。例えば図１Ａ〜図３Ｂに示される実施形態では、θ角から僅かな下向きの弧に沿って、高さにおける先端側の緩やかな減少を含んでおり、積み重ねられたときに、把持部２２０、２２０'、２２０''の前方の係合面と後方の係合面との間に延びている上面２０２、２０２'および下面２０１'、２０１''が接近する一方で、必ずしも一貫して接触し続けるわけではない。
【００３５】
図４Ａおよび４Ｂは、縦方向に延びている取っ手部２００を備えている、積み重ね可能な調理用品システム２０の他の実施形態を示している。この調理用品システム２０が２つ以上の調理用品５０、５０'、５０''のセットを含んでもよく、当該２つ以上の調理用品５０、５０'、５０''のセットが、実質的に同様の取っ手部２００、２００'、２００''、把持部２２０、２２０'、２２０''、もしくは、当該取っ手部２００、２００'、２００''の積み重ね可能な調理器具用に構成された、実質的に同様の、または互換性のある嵌合部２０３、２０３'、２０３''、２０４、２０４'、２０４''を配置している取っ手部２００、２００'、２００''を配置してもよい。取っ手部２００は、図１Ａ〜図３Ｂに対して上述された実施形態と概して同様に構成されてもよい。しかしながら、把持部２２０の高さが前方の係合面と後方の係合面との間の実質的な先端側の減少を含み、それらの前方の係合面と後方の係合面との間に好ましい把持領域を設けるように構成された、縮小した胴回り領域２２７を形成してもよい。この縮小した胴回り領域２２７が、把持部２２０の弧状を成している中心線に対して、上面２０２に沿った高さよりも下面２０１に沿った高さが大きく減少していることに起因してもよい。例えば２つ以上の取っ手部２００、２００'、２００''が積み重ねられるときに、隙間２２８が、上面２０２、２０２'と下面２０１'、２０１''との間に縮小した胴回り領域２２７'、２２７''に沿って形成されてもよく、積み重ねている間や積み重ねていない間に、当該縮小した胴回り領域２２７'、２２７''が、取っ手部２００、２００'、２００''を把持する場所を使用者に提供してもよい。
【００３６】
図１Ａ〜図３Ｂに関して上で紹介してきたように、突起２３０は、把持部の高さの５０％を超える距離だけ相補的な孔内に延びるように寸法決めされてもよい。図４Ａおよび図４Ｂに示される実施形態において、突起２３０が相補的な孔内に延びるように寸法決めされ、把持部の下面と略同一平面に位置している。例えば、突起２３０'、２３０''が相補的な孔２２５、２２５'内に延びており、前方部分２３６'、２３６''および前方部分２２６、２２６'が、上面２０２から下面２０１まで、把持部２２０、２２０'の高さに沿って係合するようにしている。他の実施形態において、突起２３０、２３０'、２３０''の中の１つ以上が、相補的な穴２２５、２２５'、２２５''内に、より長い距離またはより短い距離で下方に延びてもよく、それらの上に積み重ねられる把持部２２０、２２０'、２２０''の下面２０１、２０１'、２０１''と突起２３０、２３０'、２３０''が同一平面になるために、突起２３０、２３０'、２３０''が延びないようにしている。同様に、いくつかの実施形態において把持部２２０、２２０'、２２０''は、θ角からの先端側の弧の度数がより大きくてもよく、または、より小さくてもよく、それらの上に積み重ねられる把持部２２０、２２０'、２２０''の下面２０１、２０１'、２０１''と突起２３０、２３０'、２３０''が同一平面になるために、突起２３０、２３０'、２３０''が延びないようにしている。
【００３７】
図１Ａ〜図４Ｂに示される実施形態では、後方に位置付けられた雄嵌合部および雌嵌合部２０３、２０４を含んでいる。しかしながら他の実施形態において、例えば図５Ａ〜図５Ｃに示されるように、雄嵌合部および雌嵌合部２０３、２０４が把持部２２０に沿って、より前方に位置付けられてもよい。
【００３８】
図５Ａ〜図５Ｃは、取っ手部２００を備えている積み重ね可能な調理用品システム２０の他の実施形態を示している。示されるように取っ手部２００が、保管目的のために物品５０の容易な吊設を提供するように構成された、把持部２２０の先端側の端部２２０ｂに沿った孔２２５を含んでいる。また取っ手部２００は、孔２２５よりもフランジ２１０に近い位置にあって取っ手部２２０に沿った第２の孔２４５を備えている雌嵌合部２０４も含んでいる。さらに取っ手部２２０は、下面２０１から下方に延びる突起２３０を備えている雄嵌合部２０３を含んでいる。突起２３０は通常、孔２４５の先端側の範囲に関する位置で把持部２２０から延びていてもよい。しかしながら、いくつかの実施形態において、突起２３０が、下の把持部２３０に沿った孔２４５の先端側の位置から延びることに加えて、またはそのことの代わりに、孔２４５の基部側の位置で把持部２２０から延びてもよく、または孔２４５の側面から延びてもよい。
【００３９】
また突起２３０は、積み重ね用の相補的な孔の相補的な係合面と協働的に係合するように構成された、係合面を含んでいる。図示された実施形態において、突起２３０は、積み重ね用の他の取っ手部の係合面と係合するように構成された係合面を形成している、前方部分２３６を含んでいる。例えば図５Ｂの拡大図を具体的に参照すると、取っ手部２００'の把持部２２０'が前方部分２３６'を有する突起２３０'を含んでおり、把持部２２０'の下側面２０１'が、上側面２０２に沿って積み重ね可能に配置されたときに、当該前方部分２３６'が、孔２４５の少なくとも上部の取り囲み部分に沿って、前方部分２４６で取っ手部２００の相補的な孔２４５と係合するように構成されている。また取っ手部２００''の突起２３０''も、相補的な孔２４５'により受け入れられるように構成される。前方部分２３６が容器の底面１１０に対して傾斜角α２で配置されており、図５Ｃにおいて、当該底面１１０が基準線Ｉとして示され、平行な基準線Ｉ'''によりさらに示されている。突起２３０、２３０'、２３０''の前方部分２３６、２３６'、２３６''が、相補的な孔２４５、２４５'、２４５''の係合部分２４６、２４６'、２４６''の少なくとも対向している表面の形状と、相補的な形状を有するように構成されてもよい。
【００４０】
調理器具システム２０が２つ以上の調理用品５０、５０'、５０''のセットを含んでもよく、当該２つ以上の調理用品５０、５０'、５０''のセットが、実質的に同様の取っ手部２００、２００'、２００''、実質的に同様の把持部２２０、２２０'、２２０''、もしくは、当該取っ手部２００、２００'、２００''の積み重ね可能な調理器具用に構成された、実質的に同様の、または互換性のある嵌合部２０３、２０３'、２０３''、２０４、２０４'、２０４''の、１つまたはそれ以上を配置してもよい。図示されるように容器１００、１００'、１００''が、取っ手部２００、２００'、２００''の積み重ね可能な調理器具用に構成された、実質的に同様の、または互換性のある嵌合部２０３、２０３'、２０３''、２０４、２０４'、２０４''を備えている取っ手部２００、２００'、２００''を配置している。図１Ａ〜図４Ｂに対して記載された実施形態と同様に、図５Ａ〜図５Ｃに示される実施形態において容器１００の側壁１２０と把持部２２０との間に延びる取っ手部２００または取っ手部２００のフランジ２１０が、容器１００の底部１１０の基準面Ｉから任意の角度で配置されてもよい。容器１００の側壁１２０と把持部２２０との間に延びる取っ手部２００または取っ手部２００のフランジ２１０が、容器１００の底部１１０の基準面Ｉに対して任意の角度θで配置されてもよい。しかしながらフランジ２１０および把持部２２０は、通常、角度α１および角度α２が略７０度から略４５度の間であるように成型されるのが好ましく、例えば、この容器１００の底部１１０（または容器１００の操作の向きに関する水平基準面）に対して略６５度から略５０度の間であり、略６５度から略５５度の間が好ましく、略６５度から略６０度の間がより好ましく、上述したように係合されたとき、上の容器１００'を反時計回りに回転させるように作用する重力トルクに、前方部分２３６'と前方部分２４６との係合面の接触面が耐えることができるようにしている。言い方を変えれば、フランジ２１０および把持部２２０は、突起２３０'の前方部分２３６'の係合面と前方部分２４６の対向している係合面とが略２０度から略４５度の間の角度で位置付けられるように成型されるのが好ましく、例えば、容器１００の操作の向きに関する垂直基準面から略２５度から略４０度の間であり、略２５度から略４５度の間が好ましく、略２５度から略３０度の間がより好ましい。図示された実施形態において、角度θは略１０度である。前方部分２４６および前方部分２３６が、例えば±5度である、実質的に平行な表面を備えており、角度α１およびα２が、例えば±5度である、実質的に同様の角度を底部１１０、１１０’、１１０''と形成している。したがって積み重ねられたときに、把持部２２０、２２０'、２００''が前方部分２４６、２４６'および前方部分２３６'、２３６''の相補的な係合面に沿って係合し、かつ、底部１１０、１１０'、１１０''は間隔を介し、かつ概してお互いに平行である。同様に、前方部分２４６''と前方部分２３６との係合面が、積み重ね用の他の取っ手部の相補的な係合面と係合してもよい。また積み重ねられたときに、突起２３０’、２３０’’のより低い範囲が、取っ手部２００、２０１’の下面２０１、２０１’と略同一平面まで延びている。しかしながら上述されるように、突起２３０が孔２４５を50％以上貫通して延びることが好ましい。したがって、いくつかの実施形態において、積み重ねられたときに、突起２３０が孔２４５を完全に貫通して延びない場合がある。
【００４１】
図示される実施形態において、取っ手部２００''が、取っ手部２００および２００'よりも縦方向の長さが短い把持部２２０''を含んでいる。それ以外の点では、把持部２２０、２２０'、２００''の寸法が実質的に同様であってもよい。他の実施形態において、把持部２２０、２２０'、２００''が同一の長さを有してもよく、あるいは把持部２２０、２２０'、２２０''のいずれか１つまたは全てが、異なる長さを有してもよい。これらの長さの違いにもかかわらず、前方部分２４６、２４６'、２４６''の係合面の基部側の取っ手部２００、２００'、２００''の長さは実質的に同一である。したがって積み重ねられたときに、それぞれの容器１００、１００'、１００''は縦方向に等距離で間隔を介している。他の実施形態において、対応する係合面の基部側の取っ手部２００、２００'、２００''の長さが取っ手部２００、２００'、２００''の間で、または取っ手部２００、２００'、２００''の中で、異なってもよく、積み重ねられた調理用品間の縦方向の間隔を調整している。
【００４２】
図５Ａ〜図５Ｃに示すように、図１Ａ〜図４Ｂに関して上述したものと同様に、調理容器の周縁部１３０と把持部２２０との間のフランジの部分２１０ｂがグリップ部分２２０ａの基部側の端部の幅よりも狭く、かつ、フランジの部分２１０ｂの高さも、グリップ部分２２０ａでのグリップ部分の高さよりも低いことが好ましい。このことは、フランジの部分２１０、２１０'、２１０''を有することにより、それぞれの積み重ね配置における把持部２２０、２２０'、２２０''の上側面２０１、２０１'、２０１''および下側面２０２、２０２'、２０２''の、所望の同一平面上の積み重ねに干渉することを回避している。例えば、フランジ２１０に隣接する把持部２２０の基部側の端部２２０ａの幅が、孔２４５における把持部２２０の幅よりも、少なくとも50％大きくてもよい。
【００４３】
図６Ａ〜図６Ｂは、調理用品５０、５０'、５０''の積み重ね用の調理器具システム２０の、他の実施形態を示している。この調理器具システム２０は、本明細書に記載されるように、積み重ね用に寸法決めされた取っ手部２００を含んでいる。調理容器１００と、１００'と、１００''とのセットを支持および入れ子にするために使用される図１Ａ〜図３Ｂに関して上述したような寸法と、実質的に同様の寸法を有する２つ以上の取っ手部２００、２００'、２００''を、この調理器具システム２０が含んでいる。調理容器１００および調理容器１００''は、他の実施形態のより平坦に成型されたフライパンではなく、シチュー鍋の概して長方形の断面形状を有する一方で、中間の調理容器１００'が丸みを帯びた形状または半球形状の底部１１０'を有し、下の調理容器１００と組み合わせて、材料を溶かして泡立てるために便利な二重鍋構造を形成するようにしている。
【００４４】
取っ手部２００および取っ手部２００'は、他の実施形態に関して記載されるように安定して接続され、１つの取っ手部２００と組み合わせて容器１００、１００'を保持することを容易にする一方で、泡立て器を操作するために他方の手を使用することができる。
【００４５】
また調理器具システム２０は、いずれかの調理容器１００、１００'、１００''に交換可能に適合するように構成された蓋３００を含んでいる。例えば蓋３００が、蓋３００の中央部分３１４から外向きに展開している複数の段部３１１、３１２、３１３を備えている起伏のある段付き下面３１０を含んでいる。図示された実施形態において、蓋３００が３つの段部３１１、３１２、３１３を含んでおり、当該段部３１１、３１２、３１３のそれぞれが、徐々に大きくなる直径３１１ｄ、３１２ｄ、３１３ｄを有している。それぞれの段部３１３、３１２、３１１の直径が、周縁部１３０、１３０'、１３０''で調理容器１００、１００'、１００''の徐々に小さくなる直径よりも小さい直径まで、徐々に小さくなっている。したがって起伏のある段付き下面３１０は、いずれかの調理容器１００、１００'、１００''の周縁部１３０、１３０'、１３０''に沿って位置するように寸法決めされる。換言すれば段差３１１が、周縁部１３０''での調理容器１００''の内径（Ｄｉ''）よりも小さい内径３１１ｄを有する一方で、隣接する段部３１２が、調理容器１００''の外径（Ｄｏ''）より大きい内径３１２ｄを有している。段差３１２が、周縁部１３０'での調理容器１００'の内径（Ｄｉ'）よりも小さい内径３１２ｄを有する一方で、隣接する段部３１３が、調理容器１００'の外径（Ｄｏ'）より大きい内径３１３ｄを有している。段差３１３が、周縁部１３０での調理容器１００の内径（Ｄｉ）よりも小さい内径３１３ｄを有する一方で、周縁部１３０での調理容器１００の外径（Ｄｏ）が蓋３００の直径よりも小さい。
【００４６】
図６Ａおよび図６Ｂにおける調理用品５０、５０'、５０''のセットに含まれる蓋３００がこのような一連の段部を有し、それぞれの段部が、外径Ｄｏから内径Ｄｉまでの周縁部１３０の幅に及ぶように意図されてていることが好ましい。この蓋３００が、平坦または平面の上面３２０を含んでいてもよい。この蓋３００が小型であってもよく、当該蓋３００の取っ手部３３０の上部３３０ａが、調理用品５０、５０'、５０''のセットにおける上の取っ手部２００''の上側の範囲（図６Ａにおける基準線２００''ａ）より下に配置されてもよい。したがって蓋３００が取っ手部３３０を備えてもよく、当該取っ手部３３０は、少なくとも一部が、上面３２０より上である一方で基準線２００''ａよりも下に延びている。図７では、蓋３００の上面３２０が対応する平坦な段付きの表面を有すると示している一方で、様々な実施形態において、この蓋３００は、段がない上面３２０を含んでもよい。例えば、この上面３２０が直径３００ｄと中央部分３１４との間で、水平で平坦な表面を有してもよく、または、１つ以上の段部３１３、３１２、３１１に亘って延びている隆起領域を含んでもよい。またこの上面３２０が、蓋３００の中央部分３１４に向かって、１つ以上の段部３１３、３１２、３１１に亘って平面または曲面に沿って、外縁部から下向きに傾斜してもよい。また蓋３００が、他の調理用品と共に使用するように構成され、このような調理用品が積み重ね可能であるかどうかにかかわらず、複数の調理用品での、普遍的な使用や交換可能な使用を提供するようにしてもよい。
【００４７】
図８Ａおよび８Ｂは、例えばフライ返し８０１などの調理器具８００や積み重ね可能な取っ手部２００'''を備えた調理用品５０'''を備えている、調理器具システムのさらなる実施形態を示している。この調理器具８００が、追加の取っ手部２００、２００'、２００''または調理用品５０、５０'、５０''の少なくとも１つと積み重ね可能であるとして示されている。これらの追加の取っ手部２００、２００'、２００''または調理用品５０、５０'、５０''が、図４Ａおよび図４Ｂに関して記載されたものと同様の方法で構成されてもよい。
【００４８】
調理器具８００が、他の取っ手部の構成と積み重ね可能に使用するために本明細書に開示される取っ手部と、一致する取っ手部２００'''で構成されてもよい。図示されるように、取っ手部２００'''が作業用端部８０２の基部側の端部８０２ｂに取り付けられ、かつ、フランジ２１０'''および把持部２２０'''を含んでいる。この把持部２２０'''が、把持部２２０、２２０'、２２０''の嵌合部２０３、２０３'、２０３''、２０４、２０４'、２０４''と実質的に同様であり相補的である、雄嵌合部および雌嵌合部２０３'''、２０４'''を含んでおり、上述したように、当該雄嵌合部および雌嵌合部２０３'''、２０４'''が図４Ａおよび図４Ｂに関して上で記載されたものと同様であってもよい。把持部２２０'''は、孔２２５'''を備えている雌嵌合部２０４'''の、先端側に位置する突起２３０'''を備えた雄嵌合部２０３'''を含んでおり、当該孔２２５'''が、吊設用の孔２２５'''として使用されてもよい。調理器具８００を積み重ねるために、突起２３０'''が把持部２２０''の孔２２５''に位置していてもよく、この突起２３０'''の前方部分２３６'''が孔２２５''の前方部分２２６''と係合してもよい。このように構成された調理器具８００を、いずれかの調理用品５０''、５０'、５０の対応する取っ手部２００''、２００'、２００で支持できることが理解されよう。したがって便利な保管のためだけではなく調理中でも、いずれかの容器１００''、１００''、１００の対応する取っ手部２００''、２００'、２００で調理器具８００を支持可能であってもよい。上述されるように把持部２２０'''は、他の取っ手部の突起を受け入れるように構成された孔２２５'''を含んでいる。その結果、例えば他の調理器具などの他の調理用品の、取っ手部から延びている相補的な突起が孔２２５'''内に受け入れられ、かつ、当該孔２２５'''内で前方部分２２６'''と係合して、取っ手部２００'''でこの調理用品を積み重ねることができる。他の実施形態において取っ手部２００'''が、積み重ね用の突起を受け入れるように構成された孔２２５'''を含まなくてもよい。
【００４９】
図示されるように、把持部２２０'''は第２の突起を含んでおらず、他の把持部２２０、２２０'、２２０''と比較して減少した長さで延びている。他の実施形態において、この把持部２２０'''が第２の突起を含むように構成されてもよく、または、その上に積み重ね可能である把持部２２０、２２０'、２２０''の１つ以上と同一の長さで延びるように構成されてもよい。
【００５０】
様々な実施形態において調理器具８００の作業用端部８０２が、例えばフライ返し８０１などの付属物のような刃であってもよく、または、例えばスプーン用の凹形状、器具のようなフォーク用のトング、トング用の係合突起（engaging prongs）、または同種のものなど、他の構成であってもよい。
【００５１】
図９は、一実施形態による積み重ね可能な取っ手部のシステム２０を備えている、積み重ねられた調理用品の断面図を示している。この積み重ね可能な取っ手部のシステム２０は、２つ以上の積み重ねられたシチュー鍋１００、１００''、１００'''を含んでいる。積み重ね可能な取っ手部２００、２００''、２００''は、図４Ａ〜図４Ｂおよび図８Ａ〜図８Ｂに関して上述されたものと同様であってもよく、ここで、同様の番号は同様の機能に言及している。この取っ手部２００、または、この取っ手部２００のフランジ部２１０が、容器１００の側壁１２０と把持部２２０との間に延びている。前方の係合面２２６、２３６は、側壁１２０（またはフライパンの操作の向きに関して線ＩＩおよび線ＩＩ'として示される垂直基準面）に対して、角度γ１および角度γ２で位置付けられている。フランジ２１０および把持部２２０は、角度γ１および角度γ２が略２０度から略４５度の間であるように成型されるのが好ましく、例えば略２５度から略４０度の間であり、略２５度から略４５度の間が好ましく、略２５度から略３０度の間がより好ましい。角度γ１および角度γ２が、この容器の底部１１０（またはフライパンの操作の向きに対応している水平基準面）に対する角度α１およびα２の角度に対応してもよい。例としてフランジ２１０および把持部２２０は、前方部分２２６、２３６がこの調理容器１００の底部１１０（または調理容器１００の操作の向きに関する水平基準面）に対して略７０度から略４５度の間であるように成型されるのが好ましく、例えば略６５度から略５０度の間であり、略６５度から略５５度の間が好ましく、略６５度から略６０度の間がより好ましい。図９の調理用品１００、１００'、１００''の積み重ねに関して、角度γ１および角度γ２は略２０度から略４５度の間であり、例えば略２５度から略４０度の間であり、略２５度から略４５度の間が好ましく、略２５度から略３０度の間がより好ましく、上述したように係合されたとき、上の容器１００'を反時計回りに回転させるように作用する重力トルクに、前方部分２２６、２３６'および２２６'、２３６''の係合面の接触面が耐えることができる。孔２２５が突起２３０と共に寸法決めされ、積み重ねられたときに、容器１００同士の側壁１２０同士の間に適切なクリアランスを提供している。このクリアランスは略2.2ｍｍよりも大きいことが好ましく、2.3ｍｍよりも大きいことがより好ましい。
【００５２】
図示された実施形態において、全ての調理用品、またはその調理用品の取っ手部が、雄嵌合部および雌嵌合部の両方を含んでいる。しかしながら、いくつかの実施形態において、調理器具システムにおける全ての調理用品または取っ手部が、雄嵌合部および雌嵌合部の両方を含んでいるわけではない。例えば、調理器具システムが積み重ね可能な調理用品のセットを含んでいる一実施形態において、これらの調理用品の１つが当該調理用品を積み重ねたときにベースの調理用品になるように構成され、例えば、このベースの調理用品が大きすぎて他の調理用品と入れ子にならないときに、この調理用品の把持部は、当該把持部の下面に雄嵌合部を含まなくてもよい。同様に、調理器具システムが積み重ね可能な調理用品のセットを含んでいる一実施形態において、これらの調理用品の１つが、例えば他の調理用品を入れ子にするのに当該調理用品が小さすぎるように、または独自すぎるように成型された場合など、他の調理用品に積み重ねられるように構成される一方で、その上に他の調理用品を積み重ねることができるベースの調理用品を形成しないように構成されるときに、この調理用品は、当該調理用品の下面に雌嵌合部を含まなくてもよい。しかしながら、本明細書に記載される調理器具システムは拡張可能なシステムやモジュール式のシステムを含んでおり、非常に様々な調理用品を積み重ねることができるため、いくつかの実施形態において、全ての取っ手部が、積み重ねるために他の調理用品を受け入れるように構成されてもよく、または、積み重ねるために他の調理用品により受け入れられるように構成されてもよく、そして、全ての取っ手部が雄嵌合部および雌嵌合部の両方を含んでもよい。
【００５３】
開示された積み重ね可能な調理用品システム、および、その積み重ね可能な取っ手部の構成が、例えば鍋、フライパンおよび調理器具など、様々な調理用品で使用するように構成されてもよいことが理解されよう。これらの積み重ね可能な調理用品システム、および、その積み重ね可能な取っ手部の構成により、便利で安定した保管に関して有益な用途を見つけることができる。さらに積み重ね可能な調理用品システム、および、その積み重ね可能な取っ手部の構成により、他の入れ子になって保管される用途に関して有益な用途を見つけてることができ、例えば商業の様々な流れにおける、消費者に届く前の製品の保管用の梱包および出荷用の梱包の嵩の最小化などである。その結果、このように構成された調理用品システムにより、例えば異なる寸法を有する調理容器などの、調理製品のよりコンパクトな保管用の構成および出荷用の構成を有利に提供できる。
【００５４】
本開示は、積み重ね可能な調理用品システムおよびその取っ手部の、様々な実施形態、構成および配置の、様々な要素、特徴、態様および利点を記載している。様々な実施形態やこのような構成および配置の特定の記載は簡略化されており、この開示された実施形態のより明確な理解に関連する要素、特徴、および態様のみを示す一方で、簡潔または明確にするために、他の要素、機能および態様を削除していることを理解すべきである。任意の「様々な（various）」、「特定の（certain）」、「いくつかの（some）」、「一（one）」または「１つの（an）」に関し、それらの後に「実施形態（embodiment）」、「構成（configuration）」、「実施例（example）」、「配置（arrangement）」などが続くときには、一般に、当該実施例に記載された特定の要素、機能または態様が、少なくとも１つの実施形態に含まれることを意味している。「実施形態（embodiment）」、「構成（configuration）」、「実施例（example）」、「配置（arrangement）」などが続くときにおける、「様々な（in various）」、「特定の（in certain）」、「いくつかの（in some）」、「一（in one）」または「１つの（in an）」という語句により、必ずしも同一の実施形態に言及するわけではないだろう。さらに、「実施形態（embodiment）」、「構成（configuration）」、「実施例（example）」、「配置（arrangement）」などが続くときにおける、一般的に先行する実施形態に言及し、詳述している「このような一（in one such）」、「この（in this）」などの語句は、当該語句により導入される実施形態の要素、特徴および態様が、先行する実施形態に限定されることを示唆するようには意図されていない。むしろ、これらの語句は、読者が本明細書に開示された様々な要素、特徴および態様を理解するのを補助するために提供される。また、導入された実施形態で提示されるこのような要素、特徴および態様が、当該開示された実施形態で提示される要素、特徴および態様の他の様々な組み合わせや部分的な組み合わせと組み合わせて適用できる、ということを当業者が認識するだろうことが理解されよう。また本明細書の記載を考慮すると、様々な実施形態や他の要素、特徴および態様の様々な組み合わせや部分的な組み合わせが特定の実施や用途において望ましい場合がある、ということを当業者が認識するだろうことも理解されよう。しかしながら本明細書の記載を考慮すると、このような他の要素、特徴および態様が当業者により容易に確認される可能性があり、また、この開示された実施形態の完全な理解のためには必要ではないため、このような要素、機能および態様の記載が提供されないかもしれない。したがって、本明細書に記載された説明は、当該開示された実施形態の単なる典型例や実例であり、特許請求の範囲によってのみ定められる本発明の範囲を限定するものではないことを理解されたい。
【００５５】
本明細書で使用される「一（one）」、「１つの（a）」、「１つの（an）」および「この（the）」という文法的な冠詞は、別段の指示がない限り、「少なくとも１つ」または「１つ以上」という意味を含むよう意図されている。その結果、これらの文法的な冠詞の文法的な対象の１つまたは複数を言及するため（言い換えると「少なくとも１つ」を言及するため）に、これらの文法的な冠詞が本明細書で使用されている。例として、「１つの（a）」構成要素は１つ以上の構成要素を意味しており、その結果、場合によっては、複数の構成要素が考慮される。また当該複数の構成要素が、記載された実施形態の用途で採用または使用されてもよい。さらに、文脈上で他の意味に解すべき場合を除き、単数形の名詞の使用では複数形を含み、複数形の名詞の使用では単数形を含んでいる。
【図１Ａ−１Ｅ】
0006844813.tif 000002
【図２Ａ−２Ｃ】
0006844813.tif 000003
【図３Ａ−３Ｂ】
0006844813.tif 000004
【図４Ａ−４Ｂ】
0006844813.tif 000005
【図５Ａ−５Ｃ】
0006844813.tif 000006
【図６Ａ−６Ｂ】
0006844813.tif 000007
【図７】
0006844813.tif 000008
【図８Ａ−８Ｂ】
0006844813.tif 000009
【図９】
0006844813.tif 000010